(57)【特許請求の範囲】
【請求項１】
１セルに相当する電解液を封入する胴体部（２）を３個１列に連結した容器（１ａ、１ｂ）を２個作製し、該容器（１ａ、１ｂ）の一方（１ａ）は、少なくとも１個の胴体部（２）側面に凹部（４）が形成されており、該容器（１ａ，１ｂ）の他方（１ｂ）は、少なくとも１個の胴体部（２）側面に凸部（５）が形成されているものであり、
次いで、前記一方の容器（１ａ）の凹部（４）に前記他方の容器（１ｂ）の凸部（５）を挿入して一体化することを特徴とする、
鉛蓄電池用電解液容器の製造方法。
【請求項２】
１セルに相当する電解液を封入する胴体部（２）を６個１列に連結した容器（１′）を作製し、該容器（１′）は一方側の３個の胴体部（２）の内少なくとも１個の胴体部（２）側面に凹部（４）を有し、他方側の３個の胴体部（２）の内少なくとも１個の前記側面と同じ側面に凸部（５）を有するものであり、
次いで、前記容器（１′）の中央連結部（７）を折り曲げ、一方側の胴体部凹部（４）に他方側の胴体部凸部（５）を挿入して一体化することを特徴とする、
鉛蓄電池用電解液容器の製造方法。
【発明の詳細な説明】
【０００１】
【産業上の利用分野】
本発明は複数セルよりなる鉛蓄電池内に電解液を注入するための鉛蓄電池用電解液容器の製造方法に関する。
【０００２】
【従来の技術】
鉛蓄電池は、電解液を注入した状態、すなわち、液入り充電済電池で放置しておけば自己放電するので、一定期間毎に補充電する必要があり、取扱いが煩雑となる。そのため、特に自動二、四輪車用鉛蓄電池では、電解液を添付しておいて、使用時、電解液を注入することにより直ちに使用できる型式の「即用式鉛蓄電池」が採用されている。このような鉛蓄電池において、例えば二輪車用鉛蓄電池は約１２Ｖであって、約２Ｖの単電池（以下、セルという）が一列に６個並べられた構造であり、この鉛蓄電池に添付される電解液容器は、図６に示すように１セル分に相当する量の電解液が封入された胴体部１０が６個、一列に連結されたものであった。そして、このような電解液容器は、最も安価に製作できるブロー成形方法によって製造されていた。
【０００３】
【発明が解決しようとする課題】
ところが、最近、即用式鉛蓄電池のセルの配列が図７に示すように１列に３個で２列構成のものが開発されている。この電池に対応する電解液容器は、１セル分に相当する電解液を封入した胴体部が１列に３個並び、隣り合わせに２列に並ぶ構成をとるため、ブロー成形方法が適用できず、製造価格が高くなるという問題点を有していた。
また、ブロー成形方法で１列ずつ作製し、両者を一体に固定すると、両者間で位置ずれが生じ、鉛蓄電池の注液部１２に電解液容器の注液筒が挿入できなくなり、電解液が注入できなくなるという問題点を有していた。
尚、図７において、１１は端子、１２は蓋の注液部である。
【０００４】
本発明は上記問題点に鑑みてなされたものであって、その目的とするところは、列間で位置ずれをおこすことがなく、安価に製造できる鉛蓄電池用電解液容器の製造方法を提供することにある。
【０００５】
【課題を解決するための手段】
上記目的を達成するために、本発明の第１は、１セルに相当する電解液を封入する胴体部２を３個１列に連結した容器１ａ、１ｂを２個作製し、該容器１ａ、１ｂの一方１ａは、少なくとも１個の胴体部２側面に凹部４が形成されており、該容器１ａ、１ｂの他方１ｂは、少なくとも１個の胴体部２側面に凸部５が形成されているものであり、次いで、前記一方の容器１ａの凹部４に前記他方の容器１ｂの凸部５を挿入して一体化することを特徴とする、鉛蓄電池用電解液容器の製造方法である。
【０００６】
本発明の第２は、１セルに相当する電解液を封入する胴体部２を６個１列に連結した容器１′を作製し、該容器１′は一方側の３個の胴体部２の内少なくとも１個の胴体部２側面に凹部４を有し、他方側の３個の胴体部２の少なくとも１個の胴体部２の前記側面と同じ側面に凸部５を有するものであり、次いで、前記容器１′の中央連結部７を折り曲げ、一方側の胴体部凹部４に他方側の胴体部凸部５を挿入して一体化することを特徴とする、鉛蓄電池用電解液容器の製造方法である。
【０００７】
【作用】
本発明の第１は、凸部５を凹部４に挿入することによって列間の位置ずれを防止できる。
本発明の第２は、胴体部２が６個１列に連結された容器１′を一度に作製し該容器１′の中央連結部７を折り曲げることによって、３個１列の胴体部２を２列構成に簡単にできる。また、凸部５を凹部４に挿入することによって列間の位置ずれを防止できる。
【０００８】
【実施例】
以下、本発明の実施例を図面に基づいて説明する。
（実施例１）
図１は、本発明の第１の方法により作製した鉛蓄電池用電解液容器の正面図、図２は同平面図であり、１はポリエチレン系合成樹脂からなる電解液容器であり、鉛蓄電池の１セル分に相当する電解液が封入される胴体部２が１列に３個連結され、２列が一体に合体されたものである。該胴体部２の先端には、円筒状の注液筒３が一体に形成されており、該注液筒３の先端開口３ａは薄膜によって封口される。また、図２の上側の列の胴体部２は、下側の胴体部２と接する側面中央に凹部４が形成され、下側の胴体部２は、上側の胴体部２と接する側面中央に凸部５が形成されて、前記凹部４に該凸部５が挿入されている。さらに、胴体部２の下部には３個の胴体部２を連通する連結管６が設けられている。
なお、本実施例は、一方の容器１ａと他方の容器１ｂの全ての胴体部２側面にそれぞれ凹部４と凸部５が形成されているが、全ての胴体部２に形成されていなくても位置ずれを防止する効果がある。
【０００９】
次に、上記構成からなる電解液容器の製造方法について説明する。胴体部２が３個１列に連結された容器１ａ、１ｂをブロー成形方法にて２個作製する。このうち図２の上側の列に相当する一方の容器１ａは、胴体部２の側面に凹部４が形成されているものであり、図２の下側の列に相当する他方の容器１ｂは、胴体部２の側面に凸部５が形成されているものである。
次に、一方の容器１ａの凹部４に他方の容器１ｂの凸部５を挿入して二つの容器１ａ、１ｂを一体に合体させる。この際、一方の容器１ａの凹部４が形成された胴体部２側面または、他方の容器１ｂの凸部５が形成された胴体部２側面に接着剤または両面テープ付着させて、両者を合体させる。
このようにして作製した電解液容器１は、注液筒先端３ａが図７に示した構成の鉛蓄電池の注液部１２へ位置ずれをおこすことなく挿入できる。
【００１０】
（実施例２）
図３は本発明の第２の方法により作製した鉛蓄電池用電解液容器の正面図、図４は同平面図、図５は同容器の作製途中を示す正面図であり、図１、図２と同一符号は同一名称を示す。図において、７は一方の端で列間を連結する中央連結部であり、８は他方の端で列間を連結する連結部で嵌合部９に嵌めて一体に固着されている。なお、本実施例では、凹部４と凸部５はそれぞれ３個形成されているが、それぞれ１個または２個であってもよい。
【００１１】
次に、上記構成の電解液容器の製造方法について説明する。
まず、図５に示す容器１′をブロー成形方法で作製する。すなわち、上部に注液筒３を有する胴体部２が６個１列に連結され、一端に穴９ａが形成された嵌合部９と、中央部に幅広の中央連結部７と、他端に胴体部２の高さよりやや小さく、幅広の連結部８とを有し、一方側の３個の胴体部２はそれぞれ側面中央に凹部４が形成され、他方側の３個の胴体部２も前記凹部４形成面と同一側面中央にそれぞれ凸部５が形成され、一方側と他方側のそれぞれ３個の胴体部同士を連通する連通管６が下部に設けられた電解液容器を作製する。
次に、図５の中央連結部７のＡ−Ａ′線で二つ折りにして一方側の胴体部２の凹部４に他方側の胴体部２の凸部５が挿入できるように重ね合わせる。
次に、連結部８を折り曲げ、先端を嵌合部９の穴９ａに挿入して、嵌合部と連結部８とを熱溶着等により固定して電解液容器を完成する。
【００１２】
【発明の効果】
本発明は上述の通り構成されているので次に記載する効果を奏する。
（１）請求項１によれば隣り合った列間の胴体部２同士が位置ずれしない電解液容器を提供できる。
（２）請求項２によれば、請求項１の効果に加え、６個の胴体部が一度にブロー成形でき、しかも列間を一体化することが容易なので安価に製作できる。
【図面の簡単な説明】
【図１】本発明の第１の方法により作製された電解液容器を示す正面図である。
【図２】図１の平面図である。
【図３】本発明の第２の方法により作製された電解液容器を示す正面図である。
【図４】図３の平面図である。
【図５】図３の電解液容器の作製途中を示す平面図である。
【図６】従来の電解液容器を示す平面図である。
【図７】本発明に係る鉛蓄電池の平面図である。
【符号の説明】
１ａ、１ｂ、１′    容器
２                  胴体部
４                  凹部
５                  凸部
７                  中央連結部
【図１】
0003569931.tif 000002
【図２】
0003569931.tif 000003
【図３】
0003569931.tif 000004
【図４】
0003569931.tif 000005
【図５】
0003569931.tif 000006
【図６】
0003569931.tif 000007
【図７】
0003569931.tif 000008